(57)【要約】【課題】記録及び／又は再生装置におけるカセット２重挿入を安全に防止する。【解決手段】カセット２重挿入時に、開閉扉５が開いているか否かを検出し、既に１個目のカセットＬＣ又はＳＣが入っているか否かを判別してブザー４８、スピーカー４９、ディスプレー３等によって警告する記録及び／又は再生装置。【選択図】図１
2007220247.tif 000002
【特許請求の範囲】
【請求項１】
フロントパネルに形成されたカセット挿入口と、
該カセット挿入口を開閉する開閉扉と、
該開閉扉を内側へ押し開きながら前記カセット挿入口から挿入されたカセットをカセットイジェクト位置からカセットローディング位置へ水平方向及び垂直方向へほぼＬ型軌跡に沿ってローディング及びアンローディングするカセットローディングホルダーを備えたカセットコンパートメントと、
該カセットコンパートメント内に配置されて、前記カセットローディングホルダーによるカセットのローディング動作に同期して前記カセット挿入口の内側のカセット２重挿入防止位置へ移動され、前記開閉扉の開閉動作を阻害することなくカセットの２重挿入を防止するカセット２重挿入防止手段とを備えた
ことを特徴とする記録及び／又は再生装置。
【請求項２】
前記カセット２重挿入防止手段は、カセット排出方向側に形成されたカセット２重挿入防止部が前記カセット挿入口の前記開閉扉の開閉軌跡より内側に設定されたカセット２重挿入防止位置と、該カセット２重挿入防止位置から前記カセットローディングホルダーのローディング方向とは異なる方向の退避位置との間で移動されるように構成されている
ことを特徴とする請求項１に記載の記録及び／又は再生装置。
【請求項３】
前記カセット２重挿入防止手段は前記カセットのローディング方向の前方側の枢支部を中心に回動自在に枢支され、
該カセット２重挿入防止手段の前記カセット２重挿入防止部は前記カセットローディングホルダーの天井相当部分に配置されたカセット２重挿入防止手段支持部上に載置され、
前記カセットローディングホルダーが前記水平方向及び垂直方向へほぼＬ型軌跡に沿ってローディング及びアンローディングされることに同期して前記カセット２重挿入防止手段の前記カセット２重挿入防止部が前記カセット挿入口の内側のカセット２重挿入防止位置と前記カセット挿入口から退避された退避位置との間で回動される
ことを特徴とする請求項２に記載の記録及び／又は再生装置。
【請求項４】
前記カセット２重挿入防止手段支持部は前記カセットローディングホルダー内に挿入されたカセットを上方から押圧するカセット押圧アームで構成されている
ことを特徴とする請求項３に記載の記録及び／又は再生装置。
【請求項５】
前記カセット２重挿入防止手段の前記カセット２重挿入防止を前記カセット２重挿入防止手段支持部上へ常時弾性的に押圧する押圧手段を備えた
ことを特徴とする請求項３に記載の記録及び／又は再生装置。
【請求項６】
前記カセットローディングホルダーが前記カセットイジェクト位置から前記カセットローディング位置へ移動される際に、前記カセット２重挿入防止手段の前記カセット２重挿入防止部を前記カセット２重挿入防止位置に停止する回転規制部を備えた
ことを特徴とする請求項５に記載の記録及び／又は再生装置。
【請求項７】
前記カセット２重挿入防止手段が板金で形成されている
ことを特徴とする請求項３に記載の記録及び／又は再生装置。
【請求項８】
既に１個目のカセットがカセットローディング位置へローディングされ、或いは、該カセットのローディング途中において、２個目のカセットが前記カセット挿入口へ挿入された際に、カセット２重挿入動作であることを認知させるための警告を発する警告発生手段を備えた
ことを特徴とする請求項１に記載の記録及び／又は再生装置。
【請求項９】
前記警告発生手段による警告は、既に１個目のカセットがカセットローディング位置へローディングされ、或いは、該カセットのローディング途中において、２個目のカセットが前記カセット挿入口から挿入されたことを検知手段が検知したことに基づいてなされる
ことを特徴とする請求項８に記載の記録及び／又は再生装置。
【請求項１０】
前記検知手段は、前記カセット挿入口を開閉する開閉扉の開を検知する
ことを特徴とする請求項９に記載の記録及び／又は再生装置。
【請求項１１】
前記警告手段がブザーである
ことを特徴とする請求項８に記載の記録及び／又は再生装置。
【請求項１２】
前記警告手段が音声発生手段である
ことを特徴とする請求項８に記載の記録及び／又は再生装置。
【請求項１３】
前記警告手段がディスプレー表示である
ことを特徴とする請求項８に記載の記録及び／又は再生装置。
【発明の詳細な説明】
【技術分野】
【０００１】
本発明は、例えばＨＤＶ(ソニー株式会社と株式会社ビクターの登録商標）であるビデオ編集機(業務用ＶＴＲ）等に適用するのに最適な記録及び／又は再生装置に関するものである。
【背景技術】
【０００２】
本発明の出願人は、ＶＴＲにあって、１つのカセット（磁気テープカセットの略）の記録及び／又は再生中は、カセット挿入口の開閉扉を機械的にロックすることにより、カセット２重挿入を防止するようにした特許を取得している。
【０００３】
しかし、この方式では、ユーザーが誤ってカセット２重挿入動作を行う際に、ユーザーにして見れば、通常はカセット挿入によって軽く押し開かれる筈の開閉扉を押し開くことができないことから、機械的にロックされている開閉扉が恰も故障で開かないものと誤認し、２重挿入しょうとしているカセットで開閉扉を無理にこじ開けようとして、結果的に、強度が最も弱い開閉扉を破損してしまうような不都合が生じ易かった。
【特許文献１】特許第３４１７１９１号公報
【発明の開示】
【発明が解決しようとする課題】
【０００４】
解決しようとする問題点は、カセット２重挿入動作によって強度が弱い開閉扉を破損してしまう等の不都合を未然に防止する点である。
【課題を解決するための手段】
【０００５】
本発明は、フロントパネルに形成されたカセット挿入口と、該カセット挿入口を開閉する開閉扉と、該開閉扉を内側へ押し開きながら前記カセット挿入口から挿入されたカセットをカセットイジェクト位置からカセットローディング位置へ水平方向及び垂直方向へほぼＬ型軌跡に沿ってローディング及びアンローディングするカセットローディングホルダーを備えたカセットコンパートメントと、該カセットコンパートメント内に配置されて、前記カセットローディングホルダーによるカセットのローディング動作に同期して前記カセット挿入口の内側のカセット２重挿入防止位置へ移動され、前記開閉扉の開閉動作を阻害することなくカセットの２重挿入を防止するカセット２重挿入防止手段とを備えたことを最も主要な特徴とする。
【発明の効果】
【０００６】
本発明の記録及び／又は再生装置は、開閉扉の開閉動作を阻害することなくカセットの２重挿入を防止することができるので、カセット２重挿入によって開閉扉が機械的に破損される等の不都合を未然に防止することができる。
【発明を実施するための最良の形態】
【０００７】
図８は、本発明のビデオ編集機（業務用ＶＴＲ）としての記録及び／又は再生装置１をトップカバーを取り外して示すと共に、大小２つのカセット（磁気テープカセットの略）ＬＣとＳＣを示したものである。なお、小カセットＳＣの幅、奥行き、厚みは大カセットＬＣの幅、奥行き、厚みに対して約１／２、約１／３とほぼ同等に構成されている。大小カセットＬＣ、ＳＣの前端には２重構造の前蓋ＬＣａ、ＳＣａが設けられている。
【０００８】
記録及び／又は再生装置１のフロントパネル１ａの上部中央位置には、大小２つのカセットＬＣ、ＳＣを矢印ａ、ｂ方向から選択的に挿入、排出するためのカセット挿入口２が水平状に形成されている。フロントパネル１ａのカセット挿入口２の下部中央位置に液晶パネル等のディスプレー３が方形状に設置されている。フロントパネル１ａのディスプレー３の両側には複数の操作部４や各種インジェーター等が配置されている。
【０００９】
フロントパネル１ａのカセット挿入口２の内側には開閉扉５が取り付けられている。図５の（Ａ）（Ｂ）に示すように、この開閉扉５は上端の左右２箇所に一対で、水平（同心状）の支点ピン６を介して内開き方式で矢印ｃ、ｄ方向に開閉されるいわゆる暖簾構造（暖簾方式）の扉に構成されている。
【００１０】
図８に示すように、記録及び／又は再生装置１の内部で、フロントパネル１ａに最も接近した位置にカセット及び磁気テープローディング機構１１が収納されている。カセット及び磁気テープローディング機構１１は、大小２つのカセットＬＣ、ＳＣを選択的にローディングするカセットローディング機構部と、ローディングされたカセットＬＣ、ＳＣ内から磁気テープを引き出して回転ヘッドドラムにローディングし、これらのカセットＬＣ、ＳＣにデータを選択的に記録及び／又は再生する磁気テープローディング機構部とを備えている。
【００１１】
図７は、フロントパネル２の上側を切り欠くことによって内部のカセット及び磁気テープローディング機構１１中のカセットローディング機構部１１ａを示しているものである。
図１〜図４はそのカセットローディング機構部１１ａの詳細と制御回路ブロック図を示し、図６は制御回路ブロックのフローチャート図を示している。
【００１２】
ここで、図１〜図４及び図７に示すように、カセットローディング機構部１１ａはカセットローディングホルダー１３を備えている。カセットローディングホルダー１３は水平状の底面部１３ａと左右両側部１３ｂとによって上向きに開放されたほぼコ字状で、横長形状に形成されている。カセットローディングホルダー１３は前後方向である矢印ａ、ｂ方向と、上下方向である矢印ｅ、ｆ方向へ平行移動されるように構成されている。
【００１３】
カセットローディングホルダー１３の矢印ａ方向側の端部には大小カセットＬＣ、ＳＣの前蓋ＬＣａ、ＳＣａに共通の前蓋開閉手段である前蓋開閉アーム１４が設けられている。
カセットローディングホルダー１３の矢印ａ、ｂ方向のほぼ中間部の上部（天井相当部分）にはカセット２重挿入防止手段と、大小カセットットＬＣ、ＳＣに共通のカセット押え手段であって、カセット２重挿入防止手段支持部を兼用するカセット押えアーム１５とが備えられている。前蓋開閉アーム１４は平面形状がほぼコ字状に形成されている。この前蓋開閉アーム１４は長さ方向の両端部１４ａの左右一対の支点ピン１４ｂによってカセットローディングホルダー１３の左右両側部１３ｂの矢印ａ方向側の端部間に上下方向である矢印ｇ、ｈ方向へ回動自在に取り付けられている。
【００１４】
カセット押えアーム１５は帯状部材で構成されている。このカセット押えアーム１５はカセットローディングホルダー１３の左右両側部１３ｂの上端部間で、矢印ａ、ｂ方向のほぼ中間位置に、矢印ａ、ｂ方向に対して直交し、かつ、底面部１３ａと平行な状態に架設されている。カセット押えアーム１５は図示省略された弾性付勢手段によって矢印ｇ方向へ所定高さまで平行に押し下げ付勢されている。
【００１５】
カセットコンパートメント１６はカセットローディングホルダー１３の左右両側位置に平行状に配置された左右一対のガイド板１７を備えている。この左右一対のガイド板１７には左右各一対のＬ形ガイド溝１８が形成されている。カセットローディングホルダー１３の左右両側部１３ｂの外側面で矢印ａ、ｂ方向の２箇所に左右各一対のガイドピン１９が水平状に固着されている。左右各一対のガイドピン１９が左右各一対のＬ形ガイド溝１８内に摺動自在に係合されている。
【００１６】
このカセットコンパートメント１６は、カセットローディングホルダー１３が図示省略された駆動手段によって大小カセットＬＣ、ＳＣの挿入方向である矢印ａ方向へスライド駆動されると、各ガイドピン１９が各Ｌ形ガイド溝１８内を摺動して、カセットローディングホルダー１３が、図２及び図４に実線で示すイジェクト位置から図２及び図４に１点鎖線で示す中間位置まで矢印ａ方向へ水平状に引き込まれた後、図１及び図３に実線で示すローディング位置まで矢印ｅ方向へ垂直状に下降される。
【００１７】
また、カセットローディングホルダー１３が図示省略された駆動手段によって大小カセットＬＣ、ＳＣの排出方向である矢印ｂ方向へスライド駆動されると、各ガイドピン１９が各Ｌ形ガイド溝１８内を摺動して、カセットローディングホルダー１３が、図１及び図３に実線で示すローディング位置から図２及び図４に１点鎖線で示す中間位置まで矢印ｆ方向へ垂直状に上昇された後、図２及び図４に実線で示すイジェクト位置まで矢印ｂ方向へ水平状に押し出されるように駆動される。
【００１８】
図７に示すように、カセット挿入口３の底面部３ａには小カセットＳＣをカセット挿入口３の中央位置へ挿入できるようにガイドする左右一対の小カセット挿入ガイド２１が出没自在に付設されている。このカセット挿入口３の底面部３ａの左右両側位置には左右一対の大カセット検出部２２が出没自在に突設されている。この大カセット検出部２２はカセット挿入口２に挿入される大カセットＬＣによって押し下げられることにより、左右一対の小カセット挿入ガイド２１を底面部３ａ内へ逃がすように構成されている。
また、カセットコンパートメント１６内のカセットローディングホルダー１３の下部には左右一対のリール台２３がリール間隔変更自在に配置されている。
【００１９】
ここで、以上の構成に基づいて、大小カセットＬＣ、ＳＣのローディング及びアンローディング動作を説明する。
図２に及び図７に実線で示すように、小カセットＳＣはカセット挿入口３の左右一対の小カセット挿入ガイド２１間から開閉扉５を矢印ｃ方向へ押し開きながら、カセットローディングホルダー１３内の底面部１３ａ上の中央位置へ矢印ａ方向に挿入されて、カセット押えアーム１５によって上方から押さえられる。
【００２０】
図４に実線で示すと共に図７に１点鎖線で示すように、大カセットＬＣはカセット挿入口３の左右一対の大カセット検出部２２を押し下げることにより、左右一対の小カセット挿入ガイド２１を下方へ逃がしながら、かつ、開閉扉５を矢印ｃ方向へ押し開きながら、カセットローディングホルダー１３内の底面部１３ａ上の中央位置へ矢印ａ方向に挿入されて、カセット押えアーム１５によって上方から押さえられる。
【００２１】
これら大小カセットＬＣ、ＳＣの選択的な挿入後に、これら大小カセットＬＣ、ＳＣはそれぞれカセットローディングホルダー１３によって図２及び図４に１点鎖線で示す引き込み位置まで矢印ａ方向へ水平に引き込まれた後、図１及び図３に実線で示すローディング位置まで矢印ｅ方向へローディングされる。そして、この間に、大小カセットＬＣ、ＳＣの前蓋ＬＣａ、ＳＣａが前蓋開閉アーム１４によってそれぞれ矢印ｇ方向へ開放される。
【００２２】
小カセットＳＣのローディング時には、小カセットＳＣが図２に実線で示すイジェクト位置から１点鎖線で示す引き込み位置まで矢印ａ方向へ引き込まれる途中で、開閉扉５が自重又は回転付勢バネによって図１に実線で示すように矢印ｄ方向へ回転復帰して、カセット挿入口２を閉塞する。
大カセットＬＣのローディング時には、図３に１点鎖線で示す引き込み位置から実線で示すローディング位置まで矢印ｅ方向へ下降される間に、図３に実線で示すように、開閉扉５が自重又は回転付勢バネによって矢印ｄ方向へ回転復帰して、カセット挿入口２を閉塞する。
【００２３】
この際、小カセットＳＣ内の左右一対のリール台（図示を省略）はリール間隔が自動的に縮小された左右一対のリール台２３に矢印ｅ方向から係合される。
また、大カセットＬＣ内の左右一対のリール台（図示を省略）はリール間隔が拡大状態のままの左右一対のリール台２３に矢印ｅ方向から係合される。
【００２４】
この大小カセットＬＣ、ＳＣの選択的なローディング完了後に、カセット及び磁気テープローディング機構の図示を省略された磁気テープローディング機構によって大小カセットＬＣ、ＳＣ内の磁気テープが回転ヘッドドラム（図示を省略）に選択的にローディングされてデータの記録、再生が実行される。
【００２５】
なお、大小カセットＬＣ、ＳＣの選択的なイジェクト動作は上記ローディング動作の逆となるが、これら大小カセットＬＣ、ＳＣがカセットローディングホルダー１３によって図２及び図４に実線で示すイジェクト位置まで矢印ｂ方向へ選択的にイジェクトされる際には、開閉扉５が開閉機構（図示せず）によって矢印ｃ方向へ自動的に開放されて、これら大小カセットＬＣ、ＳＣがカセット挿入口２へイジェクトされる。
また、上記した大小カセットＬＣ、ＳＣの選択的なローディング、データの記録、再生等の各モード情報はディスプレイー３に逐一表示される。
【００２６】
次に、図１〜図８によって、カセット２重挿入防止装置３１を説明する。
このカセット２重挿入防止装置３１は、カセットコンパートメント１６内で、カセットローディングホルダー１３の上部に配置されたカセット２重挿入防止手段３２と、図１〜図４に開示された制御回路４１を備えている。
【００２７】
カセット２重挿入防止手段３２は板金製や合成樹脂製等の板状部材で構成されている。  カセット２重挿入防止手段３２はカセットローディング・イジェクト方向である矢印ａ、ｂ方向に沿って配置されている。カセット２重挿入防止手段３２の可動端である矢印ｂ方向の端部には上方へほぼ直角に立ち上げられたカセット２重挿入防止部３２ａが形成されている。このカセット２重挿入防止部３２ａは開閉扉５の開閉軌跡よりローディング方向である矢印ａ方向へ離間されている。従って、開閉扉５はカセット２重挿入防止部３２ａと何等緩衝することなく、矢印ｃ、ｄ方向へ自由に開閉することができる。
【００２８】
カセット２重挿入防止手段３２の反対側の端部である矢印ａ方向の端部はカセットコンパートメント１６の上部カバー等の支持部３３に回動支点３４を介して上下方向である矢印ｉ、ｊ方向へ回動自在に取り付られた枢支部３２ｂに構成されている。カセット２重挿入防止手段３２は回動付勢用バネ３５及び／又は自重によって矢印ｉ方向へ回動付勢され、カセットコンパートメント１６のカバー等との間に形成された回転規制部（図示を省略）によって図１及び図３に前下がりの傾斜状態で示すカセット２重挿入防止位置で矢印ｉ方向への回動が停止されるように構成されている。なお、カセット２重挿入防止手段３２のカセット２重挿入防止部３２ａの横幅は小カセットＳＣの横幅より大きく、カセット挿入口２の横幅よりも小さい寸法に設定されている。
【００２９】
制御回路４１は、開閉扉５の一端部に扇型に形成されたスイッチ作動部４２によって作動される開閉扉開検出スイッチ４３と、カセットローディングホルダー１３がローディング位置へ到達したことを検出するカセットローディング完了検出スイッチ４４等のスイッチが制御部４５に接続されている。
制御部４１はモニター駆動部４６によってモニターであるディスプレー３に接続されている。また、制御部４１は警告手段駆動部４７によってブザー（音響発生手段）４８やスピカー（音声発生手段）４９等の警告手段にも接続されている。
【００３０】
カセット２重挿入防止装置３１は以上のように構成されていて、図２及び図４に示すように、カセットローディングホルダー１３がイジェクト位置まで矢印ｂ方向へ復帰されている状態では、カセット２重挿入防止手段３２がカセットローディングホルダー１３のカセット押えアーム１５上に載置されてほぼ水平状態となり、カセット２重挿入防止部３２がカセット挿入口２の内側位置の上方へ退避されている。
【００３１】
次に、図１及び図３に実線で示すように、大小カセットＬＣ、ＳＣがカセット挿入口２からカセットローディングホルダー１３内に矢印ａ方向から選択的に挿入されると、開閉扉開検出スイッチ４３がＯＮとなり、制御部４５はカセット挿入を検出する。
【００３２】
そして、図２及び図１に実線で示すように、大小カセットＬＣ、ＳＣがカセットローディングホルダーのローディング時には、図１及び図３に実線で示すように、大小カセットＬＣ、ＳＣがカセットローディングホルダー１３によって引き込み位置からローディング位置まで矢印ｅ方向へ下降される時に、カセットローディングホルダー１３のカセット押えアーム１５の下降に同期して、カセット２重挿入防止手段３２が回動付勢用バネ３５等によって、カセット２重挿入防止位置まで矢印ｉ方向へ下降される。そして先端のカセット２重挿入防止部３２ａがカセット挿入口２の内側へ移動される。
【００３３】
一方、図１及び図３に実線で示すように、カセットローディングホルダー１３によって大小カセットＬＣ、ＳＣがローディング位置へ選択的にローディングされると、カセットローディング検出スイッチ４４がＯＮとなり、制御部４５はカセットローディング完了を検出する。
【００３４】
そして、この大小カセットＬＣ、ＳＣの選択的なローディング動作途中やローディング完了後に、図１に１点鎖線で示すように、他のカセットＡＣが開閉扉５を矢印ｃ方向へ押し開きながらカセット挿入口２内に挿入されるような、カセット２重挿入動作が行われた場合、その２重挿入されたカセットＡＣはカセット２重挿入防止部材３２の先端のカセット２重挿入防止部３２ａに衝突して止まり、それ以上カセットＡＣを挿入することができなくなり、そのカセット２重挿入が機械的に防止（阻止）される。
従って、使用者はカセットＡＣの挿入が２重挿入であることを明確に認識することができる。また、このカセット２重挿入時には、開閉扉５はカセットＡＣによって矢印ｃ方向へ無理なく、自由に押し開くことができるので、その開閉扉５が何等破損されることもない。
【００３５】
一方、このカセット２重挿入時には、図１に１点鎖線で示すように、他のカセットＡＣによって矢印ｃ方向へ押し開れた開閉扉５のスイッチ作動部４２によって開閉扉開検出スイッチ４３がＯＮとなり、カセット２重挿入情報が制御部４５へ入力される。
【００３６】
すると、制御部４５は警告手段駆動回路４７によって、ブザー４８を鳴らす、スピーカー４９を鳴らす等して、カセット２重挿入動作であることを使用者に警告する。
また、制御部４５はモニター駆動部４６によってディスプレー３に、カセット２重挿入動作であることを警告する表示を行う。
【００３７】
なお、図６のフローチャート図によって、制御部４１によるカセット２重挿入防止の制御機能を要約すると、
（１）カセット２重挿入動作が行われた際、制御部４１は、開閉扉５の開を検出したか、否かを判別する（００１）。
（２）ＮＯであれば、そのまま巡回する（００２）。
（３）ＹＥＳであれば、既に、１個目のカセットが入っているか、否かを判別する（００３）。
（４）既に１個目のカセットが入っていた場合（ＹＥＳ）には、
（４−１）ブザー４８による警告音で警告する。
（４−２）スピーカー４９による音声で警告する。
（４−３）ディスプレー３による警告表示で警告する。
等の警告動作を実行する（００４）。
（５）なお、１個目のカセット入っていなかった場合には、そのまま終了（００５）することになる。
【００３８】
以上のように構成されたカセット２重挿入防止装置を備えた本発明の記録及び／又は再生装置１によれば、大小カセットＬＣ、ＳＣの選択的なローディング動作途中やローディング完了後に、図１に１点鎖線で示すように、他のカセットＡＣが開閉扉５を押し開きながらカセット挿入口２内に挿入されるような、カセット２重挿入動作が行われた場合には
、使用者へカセット２重挿入防止のための警告を明確に実行することができるので、使用者はカセット２重挿入であることを明確に認識して、そのカセット２重挿入を直ちに、かつ、安全に中止することができる。
【００３９】
他方、このカセット２重挿入時には、開閉扉５は何等無理なく矢印ｃ方向へ開放されるので、カセット２重挿入動作により開閉扉５が無理矢理こじ開けようとしたことによって、開閉扉５が破損されてしまうような不都合が全く発生することがなく、安全性が非常に高い。
なお、カセット２重挿入防止手段３２を高強度の板金で形成すれば、カセット２重挿入を強力に防止でき、カセット以外の固い異物等の挿入防止等にも効果を発揮することができる。
【産業上の利用可能性】
【００４０】
以上、本発明を実施するための最良の形態に付き述べたが、本発明はこの最良の形態に限定されることなく、本発明の技術的思想に基づいて各種の変更が可能である。
例えば、上記した「発明を実施するための最良の形態」では、記録媒体が磁気テープである磁気テープカセットを示したが、本発明で言うカセットは、記録媒体がディスクであるディスクカセットであっても良い。
【図面の簡単な説明】
【００４１】
【図１】本発明の記録及び／又は再生装置における小カセットのローディング動作、    開閉扉の開閉動作、カセット２重挿入防止装置の機能及び制御回路を説明する断面      図である。
【図２】同上の記録及び／又は再生装置における小カセットのローディング及びイジ    ェクト動作とカセット２重挿入防止装置の機能を説明する断面図である。
【図３】同上の記録及び／又は再生装置における大カセットのローディング動作、開    閉扉の開閉動作、カセット２重挿入防止装置の機能及び制御回路を説明する断面図      である。
【図４】同上の記録及び／又は再生装置における大カセットのローディング及びイジ    ェクト動作とカセット２重挿入防止装置の機能を説明する断面図である。
【図５】同上の記録及び／又は再生装置における開閉扉の開閉の検出を説明する斜視    図である。
【図６】同上の記録及び／又は再生装置におけるカセット２重挿入防止装置の機能を    説明するフローチャート図である。
【図７】同上の記録及び／又は再生装置におけるカセット２重挿入防止装置を説明す    る一部切り欠き斜視図である。
【図８】同上の記録及び／又は再生装置全体をトップカバーを除去して示した斜視図    である。
【符号の説明】
【００４２】
１  記録及び／又は再生装置、    ２  カセット挿入口、    ３  ディスプレー、      ５  開閉扉、    １２  制御回路ブロック図、  １３  カセットローディングホルダー、  １５  カセット押えアーム、１６    カセットコンパートメント、    ３１  カセット２重挿入防止装置、    ３２  カセット２重挿入防止手段、    ３２ａ  カセット２重挿入防止部、    ３２ｂ  枢支部、    ３５  回動付勢用バネ、    ４１    制御回路ブロック図、    ４２  スイッチ作動部、    ４３  開閉扉開検出スイッチ、    ４４  カセットローディング完了検出スイッチ、    ４５  制御部、    ４６  モニター駆動部、    ４７  警告手段駆動部、    ４８  ブザー、    ４９  スピーカー
【図１】
2007220247.tif 000003
【図２】
2007220247.tif 000004
【図３】
2007220247.tif 000005
【図４】
2007220247.tif 000006
【図５】
2007220247.tif 000007
【図６】
2007220247.tif 000008
【図７】
2007220247.tif 000009
【図８】
2007220247.tif 000010